(57)【要約】【課題】携帯端末等の液晶表示装置において、屋外視認性の確保、モジュール強度向上、薄型化及び安全性の確保を図った液晶表示装置を提供する。【解決手段】第１及び第２の基板１５、１６間に挟持された液晶層１４と、前記第１の基板１５の外側に配置された下側偏光板１７と、前記第２の基板１６の外側に配置されたガラス材からなる保護板１１とを備え、この保護板１１の外側に上側偏光板を兼ねた飛散防止シート１３を配置した液晶表示装置。【選択図】図３
2009216764.tif 000002
【特許請求の範囲】
【請求項１】
平板状の第１の基板と、平板状で前記第１の基板より小面積の第２の基板と、これら第１及び第２の基板間に挟持された液晶層と、前記第１の基板の外側に配置された下側偏光板と、前記第２の基板の外側に配置された上側偏光板とを備えた液晶モジュールを有する液晶表示装置であって、
前記上側偏光板と第２の基板間に前記第２の基板より大面積の透明な保護板を介挿し、この保護板の外表面の略全面を前記上側偏光板で覆って密着接合すると共に前記保護板の内表面の一部を前記第２の基板と密着接合してなることを特徴とする液晶表示装置。
【請求項２】
前記保護板及び上側偏光板はＵＶ光を透過する特性を有することを特徴とする請求項１に記載の液晶表示装置。
【請求項３】
前記保護板はガラス板であることを特徴とする請求項１又は２に記載の液晶表示装置。
【請求項４】
平板状の第１の基板と、平板状で前記第１の基板より小面積の第２の基板と、これら第１及び第２の基板間に挟持された液晶層と、前記第１の基板の外側に配置された下側偏光板と、前記第２の基板の外側に配置された上側偏光板とを備えた液晶モジュールを有する液晶表示装置であって、
前記上側偏光板の外側に前記第２の基板より大面積の透明な保護板を配置し、この保護板の内表面の一部を前記上側偏光板と密着接合すると共に前記保護板の外表面の略全面にＵＶ光が透過可能な透明な樹脂部材からなる飛散防止シートを密着接合してなることを特徴とする液晶表示装置。
【請求項５】
前記保護板及び飛散防止シートはＵＶ光を透過する特性を有することを特徴とする請求項３に記載の液晶表示装置。
【請求項６】
前記保護板はガラス板であることを特徴とする請求項４又は５に記載の液晶表示装置。
【発明の詳細な説明】
【技術分野】
【０００１】
本発明は、液晶表示装置に係り、特に液晶モジュールの表示表面の保護に関するものである。
【背景技術】
【０００２】
近年、表示装置として液晶表示装置が多用されている。特に液晶表示装置は、薄型，軽量及び省電力であることからＴＶ受像機、携帯端末、車載用機器等の表示部として用いられている。
【０００３】
これらの液晶表示装置において、特に携帯端末用液晶表示装置ではその使用形態から、屋外視認性の確保及び向上、液晶モジュール強度向上、薄型化の確保等の要求が強い。
【０００４】
しかしながら、これらの要求の中、例えば液晶モジュール強度向上と薄型化は相反する要求を求められるケースが存在する。例えば、薄型化では液晶モジュール構成部材の薄肉化は避けられず、これは一般には強度低下を来たす傾向にあり、液晶モジュール強度向上及び安全性の確保に逆行する。
【０００５】
又、屋外視認性の確保及び向上の為には、液晶モジュール構成部材の損傷の発生及び経時劣化は回避すべき条件の一つとなる。ところが、この損傷に強くしかも経時劣化の生じ難い特性の構成部材は、一般には薄肉化が困難な材料で構成されるケースが多く、前述した要求を満足出来ない問題が有った。
【０００６】
これらの問題に加え、更に携帯という使用形態から携帯使用者に対する安全性の確保は最重要課題となる。
【０００７】
【特許文献１】特開平９−３１８９３２号公報
【発明の開示】
【発明が解決しようとする課題】
【０００８】
特許文献１に示す液晶表示装置は手書入力用やナビゲーションシステム等に用いる車載用等に関し、液晶表示パネルと透明保護板の配置に関する構成が開示されている。
【０００９】
図６は前記特許文献１の図２に関連する従来の液晶表示装置を説明するための模式断面図である。図６において、液晶層６１を挟持するＴＦＴ基板６２とカラーフィルタ（ＣＦ）基板６３は相似形で略矩形状を呈しており、しかもＴＦＴ基板６２はＣＦ基板６３の端面より突出した搭載部６２１を有してＣＦ基板６３より大形に形成されている。又、これらＴＦＴ基板６２及びＣＦ基板６３の外側にはそれぞれ下側偏光板６４と上側偏光板６５とが配置されている。前記下側偏光板６４の外側の近接した位置には、光源、導光板、拡散板、レンズ等の組み合わせからなるバックライトユニット６６が配置され、更に前記ＴＦＴ基板６２の前記搭載部６２１の上表面には駆動回路等のドライバー６７等が配置されている。符号６８は液晶モジュールである。
【００１０】
一方、上側偏光板６５の外側の表示面上部には液晶モジュール６８から所定の空間６９を隔てて透明板、例えばガラス板やアクリル板等からなる保護板７０を配置し、この保護板７０は前記液晶モジュール６８の全体を覆うと共にその外周端を上ケース７１に係合して保持されている。又、下ケース７２は前記バックライトユニット６６、液晶モジュール６８等を取り囲んで配置されている。更に、前記保護板７０の外周部には黒色帯７３が額縁状に形成され、この黒色帯７３によって表示面積を規制すると共に内部の不要部分を遮蔽する構成が採られている。
【００１１】
この図６に示す液晶表示装置では、液晶モジュール６８を保護板７０で覆い、液晶モジュール６８を外部の衝撃から保護する構成となっている。
【００１２】
この構成では、前述した液晶モジュール６８の強度の確保はある程度可能であるが、上側偏光板６５と保護板７０間に空気層の空間６９が存在する為、多重反射等で視認性の確保が問題となる。又、前記空間６９の存在は薄型化に逆行している。
【００１３】
更に、保護板がアクリル板の構成ではアクリル板が外力によって変形し易く前記外力が液晶モジュール６８まで及び液晶モジュール６８の一部を損壊する恐れがある。又、アクリル板は表面が機械的な損傷を受け易い傾向にあり、更に経時劣化も無視できない問題である。一方、ガラス板を使用する場合は、機械的な損傷や経時劣化に対してはアクリル板に比べて優れているが、衝撃等によりクラックが発生し、最悪の場合は割れたガラス片が飛散する恐れがあり、使用者の安全確保の点で問題がある。
【００１４】
このような問題を解決する一つの手段として、特許文献１の図１に示すように液晶表示パネルと透明保護板を密着配置し空気層を無くして視認性を確保する構成が提案されている。この構成は視認性の確保に有効である。
【００１５】
しかしながら、外力による液晶モジュールの損壊や使用者の安全確保等では依然として問題が残り解決策が求められている。
【００１６】
本発明はこのような事情に鑑みてなされたもので、その目的は液晶表示装置、特に携帯端末用液晶表示装置において、屋外視認性の確保及び向上、液晶モジュール強度向上、薄型化及び安全性の確保を可能とした液晶表示装置を提供することにある。
【課題を解決するための手段】
【００１７】
このような目的を達成するために、本発明による液晶表示装置は、液晶モジュールと、この液晶モジュールを覆う寸法のガラス板からなる保護板とを密着配置すると共に前記保護板の外表面に飛散防止シートを配置した構成を特徴としている。
【発明の効果】
【００１８】
本願発明によれば、保護板と液晶モジュールとを密着配置すると共に保護板の外表面に飛散防止シートを配置したことにより、視認性の確保、薄型化及び安全性の確保を可能とした。又、本願発明によれば、保護板と上側偏光板の無い液晶モジュールとを密着配置すると共に保護板の外表面に飛散防止シートを兼ねて上側偏光板を配置したことにより、視認性の確保、更なる薄型化及び安全性の確保のみならず原価低減効果も可能となる。
【発明を実施するための最良の形態】
【００１９】
以下、本発明の具体的な実施の形態について、実施例の図面を参照して詳細に説明する。
【実施例１】
【００２０】
図１乃至図３は、本発明による液晶表示装置の実施例を説明する模式図で、図１は本発明の実施形態に係る携帯電話機の全体構成の概略を示す斜視図、図２は図１の要部平面図、図３は図２のＡ−Ａ線に沿った断面図である。図１乃至図３において、先ず図１において全体を斜視図で示す携帯電話機１００は、表示面となる液晶表示部１を配置した第１の筐体２と、操作ボタン３を有する操作部４を配置した第２の筐体５をヒンジ部６で折畳み可能に結合した構成である。
【００２１】
前記表示面となる液晶表示部１は図２及び図３に示すように、ガラスからなる保護板１１を液晶モジュール１２の表示面側に配置し、この保護板１１の外表面１１１に飛散防止シート１３を密着接合している。この飛散防止シート１３は上側偏光板の機能を備え、前記外表面１１１の略全面を覆っている。前記保護板１１の構成の詳細は後述する。
一方、前記液晶モジュール１２は液晶層１４を挟んで対向配置された第１の基板（以下ＴＦＴ基板という）１５と第２の基板（以下ＣＦ基板という）１６を有し、更にＴＦＴ基板１５の外側には下側偏光板１７を備えた構成となっている。前記ＴＦＴ基板１５とＣＦ基板１６は略相似形状を呈し、ＴＦＴ基板１５の一辺がＣＦ基板１６の端面１６１より寸法Ｌ１だけ突出した搭載部１５１を備えた構成となっている。又、前記下側偏光板１７は接合されるＴＦＴ基板１５の表面積より小さい面積に成形され、基板の外周部を除いて積層されている。この液晶モジュール１２の下方にはバックライトユニット１９が配置され、又ＴＦＴ基板１５の搭載部１５１の上表面には駆動回路等のドライバー２０が搭載されている。
【００２２】
この様な構成の液晶モジュール１２の前記ＣＦ基板１６と前記保護板１１の内表面１１２とを接着剤２１で接合している。この接合は例えばＵＶ光照射と熱硬化の組み合わせにより行われる。前記保護板１１は前記ＣＦ基板１６と略相似形状を呈してガラス板から構成されており、そのガラス板厚は前記ＣＦ基板１６の数倍乃至十数倍程度、面積は前記ＣＦ基板より大面積で、特に前記ＴＦＴ基板１５の搭載部１５１側ではこの搭載部１５１を覆って更にこれより延在し前記端面１６１から寸法Ｌ２（Ｌ２＞Ｌ１）だけ突出した突出部１１３を備えた構成となっている。この突出部１１３は前記両基板１５、１６の何れとも接合されず、機械的には片持ち構造となっている。
【００２３】
又、額縁状の黒色帯２２は前記内表面１１２の外周部に配置されている。更に前述したように、前記上側偏光板を兼ねた飛散防止シート１３は、前記保護板１１の突出部１１３を含む外表面１１１の略全面を覆って密着接合されている。なお、参照符号２３、２４は上、下ケースである。
【００２４】
この実施例１では、ガラス板からなる保護板を液晶モジュールに接着剤を介して密着配置し、その保護板の外表面を上側偏光板を兼ねた飛散防止シートで覆う構成とした。この構成では、保護板の径時劣化及び表面の損傷を回避して視認性の向上、モジュール強度、薄型化及び安全性を確保できる。又、飛散防止シートを上側偏光板と兼用したことにより、視認性の向上、薄型化及び安全性を確保できる。
更に、保護板の外表面を飛散防止シートで覆ったことにより、ＣＦ基板端面から片持ち状態で突出した突出部に例え外力が加わっても、飛散防止シートの耐力によりクラックの発生を回避できる。又、更に大きな外力により例え前記端面を基点として突出部が折損しても、飛散防止シートによりガラス片の飛散が防止でき、安全性が確保できる。
更に、保護板と液晶モジュールとの接合部位から上側偏光板を他所に移動させたことにより、上側偏光板と接着剤との接触に伴う問題は皆無となり、部材選択の自由度を広げることができる。
【実施例２】
【００２５】
図４は本発明による液晶表示装置の他の実施例を説明する模式断面図で、前述した図３に対応し、前述した図と同じ部分には同一記号を付してある。図４において、液晶モジュール１２は液晶層１４を挟んで対向配置されたＴＦＴ基板１５とＣＦ基板１６をそれぞれ有し、更にＴＦＴ基板１５及びＣＦ基板１６のそれぞれの外側には下側偏光板１７及び上側偏光板１８を備えた構成となっている。
ガラス板からなる保護板１１は外表面１１１に飛散防止シート１３を密着接合している。この飛散防止シート１３はＵＶ光が透過可能な透明な例えばアクリル系樹脂部材で構成され、前記外表面１１１の略全面を覆っている。又、この保護板１１の内表面１１２は前記液晶モジュール１２の上側偏光板１８側と接着剤２１を介して接合されている。
【００２６】
この接合方法を図５を基に更に詳細に説明する。図５は図４に示す実施例２の製造工程を説明するための模式断面図で、前述した図と同じ部分には同一記号を付してある。前記内表面１１２と液晶モジュール１２との接合は、実施例１で説明したように例えばＵＶ光照射と熱硬化の組み合わせにより行われる。すなわち、液晶モジュール１２と保護板１１間に未硬化の接着剤２１を配置して位置合わせした後、保護板１１の外表面１１１からＵＶ光７５を照射し、更に加熱して接着剤２１を硬化させ、保護板１１と液晶モジュール１２とを加圧接合することで構成される。
【００２７】
この接合では、前記液晶モジュール１２側では、上側偏光板１８の全面とＣＦ基板１６の一部を含む対向面全面が接合範囲となるが、上側偏光板１８部分とＣＦ基板１６部分とでは表面の性状が異なること、及び前記黒色帯２２の存在を考慮し、接合面に接着剤の未硬化部分を残存させない作業がなされる。仮に未硬化部分が残存すると、例えば接着剤のしみ込みによる偏光板の変色や加圧接着時の接合間隔の変動等の恐れがあり、それらを回避した確実な硬化が求められる。
【００２８】
この実施例２では、ガラス板からなる保護板を液晶モジュールに接着剤を介して密着配置し、その保護板の外表面を飛散防止シートで覆う構成としたことで、保護板の径時劣化及び表面の損傷を回避して視認性の向上、モジュール強度、薄型化及び安全性を確保できる。又、保護板の外表面を飛散防止シートで覆う構成としたことにより、ＣＦ基板端面から片持ち状態で突出した突出部に外力が加わっても、飛散防止シートの耐力によりクラックの発生を回避できる。又、更に大きな外力により例え前記端面を基点として突出部が折損しても、飛散防止シートによりガラス片の飛散が防止でき、安全性が確保できる。
【図面の簡単な説明】
【００２９】
【図１】本発明による液晶表示装置の実施形態に係る携帯電話機の全体構成の概略を示す模式斜視図である。
【図２】図１の要部平面図である。
【図３】図２のＡ−Ａ線に沿った模式断面図である。
【図４】本発明による液晶表示装置の他の実施例を説明する模式断面図である。
【図５】図４に示す液晶表示装置の製造工程を説明する模式断面図である。
【図６】従来の液晶表示装置を説明する模式断面図である。
【符号の説明】
【００３０】
１・・・液晶表示部、２・・・第１の筐体、３・・・操作ボタン、４・・・操作部、５・・・第２の筐体、１１・・・保護板、１１１・・・外表面、１１２・・・内表面、１１３・・・突出部、１２・・・液晶モジュール、１３・・・飛散防止シート、１４・・・液晶層、１５・・・第１の基板（ＴＦＴ基板）、１５１・・・搭載部、１６・・・第２の基板（ＣＦ基板）、１６１・・・端面、１７・・・下側偏光板、１８・・・上側偏光板、１９・・・バックライトユニット、２０・・・ドライバー、２１・・・接着剤、２２・・・黒色帯、１００・・・携帯電話機。
【図１】
2009216764.tif 000003
【図２】
2009216764.tif 000004
【図３】
2009216764.tif 000005
【図４】
2009216764.tif 000006
【図５】
2009216764.tif 000007
【図６】
2009216764.tif 000008